(57)【要約】【課題】洗浄対象物の管路を効率よく、しかも確実に洗浄および乾燥する。【解決手段】洗浄対象物であるハンドピース（Ｉ／Ａハンドピース１３０など）の特性（管路径や物理的強度等）や汚れ具合（管路の詰まりや使用状態等）に応じて、ダイヤフラムポンプ５またはピストンポンプ４を選択してハンドピースの管路を通じて洗浄水を吸引することにより管路を洗浄した後に、ノンオイルタイプのコンプレッサー６によりハンドピースの管路を通じてエアーブローすることにより管路を乾燥する。【選択図】図１
2013009792.tif 000002
【特許請求の範囲】
【請求項１】
洗浄対象物の管路を洗浄および乾燥する管路洗浄・乾燥装置において、
洗浄水を洗浄対象物の管路を通じて吸引する第１の吸引手段と、
前記第１の吸引手段よりも強い吸引圧力を有し、洗浄水を洗浄対象物の管路を通じて吸引する第２の吸引手段と、
洗浄対象物の管路を通じてエアーブローするエアーブロー手段と、
前記第１の吸引手段、前記第２の吸引手段および前記エアーブロー手段を開閉自在に連通する電磁弁群と、
前記電磁弁群を開閉して前記第１の吸引手段または前記第２の吸引手段のいずれかにより洗浄対象物の管路を通じて洗浄水を吸引することにより洗浄した後に、前記エアーブロー手段により洗浄対象物の管路を通じてエアーブローすることにより乾燥するように制御する制御手段と
を有することを特徴とする管路洗浄・乾燥装置。
【請求項２】
前記第１の吸引手段がダイヤフラムポンプでなり、前記第２の吸引手段がピストンポンプでなることを特徴とする請求項１記載の管路洗浄・乾燥装置。
【請求項３】
前記エアーブロー手段が、ノンオイルタイプのコンプレッサーであることを特徴とする請求項１または２記載の管路洗浄・乾燥装置。
【請求項４】
前記管路洗浄・乾燥装置への電源供給をオン／オフする電源スイッチと、前記ダイヤフラムポンプの動作を選択するダイヤフラムポンプスイッチと、前記ピストンポンプの動作を選択するピストンポンプスイッチと、前記ダイヤフラムポンプまたは前記ピストンポンプによる吸引動作を選択する吸引スイッチと、前記コンプレッサーによるエアーブロー動作を選択するエアーブロースイッチと、前記コンプレッサーによるエアーブロー動作のみを選択するエアーブロー専用スイッチと、前記吸引スイッチにより吸引動作が選択された状態で前記ダイヤフラムポンプまたは前記ピストンポンプによる吸引動作をオン／オフする吸引制御用フィットスイッチと、前記エアーブロースイッチまたは前記エアーブロー専用スイッチによりエアーブロー動作が選択された状態で前記コンプレッサーによるエアーブロー動作をオン／オフするエアーブロー制御用フットスイッチとを備えることを特徴とする請求項２または３記載の管路洗浄・乾燥装置。
【請求項５】
吸引／エアーブロー兼用コネクターを備えることを特徴とする請求項１ないし４のいずれか１項に記載の管路洗浄・乾燥装置。
【請求項６】
エアーブロー専用コネクターを備えることを特徴とする請求項１ないし５のいずれか１項に記載の管路洗浄・乾燥装置。
【発明の詳細な説明】
【技術分野】
【０００１】
本発明は管路洗浄・乾燥装置に関し、特に洗浄対象物、例えば眼科手術用のハンドピース等の管路を効率よく、しかも確実に洗浄および乾燥するための管路洗浄・乾燥装置に関する。
【背景技術】
【０００２】
近年、眼科の白内障の患者に対し、薬物療法が無効であり、生活に支障がある場合には、白濁した水晶体を除去して眼内に眼内レンズ（人工の水晶体）を挿入する白内障手術が行われている。
【０００３】
白内障手術の手順概要は、点眼麻酔（局部麻酔）を行った後、黒目と白目の境界を約３ｍｍ切開し、水晶体の前の膜を取り除き、そこから超音波白内障手術装置で白濁した水晶体の核を超音波により乳化破砕して吸引除去する。次いで、皮質の処理を行った上で、温存しておいた水晶体嚢（水晶体を包んでいる袋）に眼内レンズを挿入して手術は終了する。この手術の実時間は、通常は１０〜４０分で終わり、いわゆる「日帰り手術」が可能となることによって、患者への負担が飛躍的に軽減してきた。
【０００４】
図１８は、従来の超音波白内障手術装置を説明する図であって、（Ａ）は外観斜視図、（Ｂ）は制御系のブロック図である。ここで、従来の超音波白内障手術装置を、図１８（Ａ）および（Ｂ）を参照しつつ簡単に説明する。
【０００５】
図１８（Ａ）および（Ｂ）に示すように、従来の超音波白内障手術装置１００は、装置本体１１０が略直方体状をなし、前面側に超音波ハンドピース（以下、ＵＳハンドピースと略記する）１２０（図３（Ａ）参照）または灌流ハンドピース（以下、Ｉ／Ａハンドピースと略記する）１３０（図３（Ｂ）参照）を載置する載置台１１１が装置本体１１０内から引き出されるようになっている。
【０００６】
装置本体１１０の前面上側部には、医師、補助者等の術者が操作する操作パネル１１２が配置されている。装置本体１１０の背面側にはポール１１３が立てられ、その先端部には患者眼に供給するための生理食塩水等の灌流液が入れられた灌流瓶１１４が取り付けられている。
【０００７】
灌流瓶１１４には灌流チューブ１１５が接続され、該チューブ１１５は制御弁１１６を介してＵＳハンドピース１２０またはＩ／Ａハンドピース１３０に接続されている。
【０００８】
例えば、ＵＳハンドピース１２０は、内部に超音波振動子を持ち、該振動子から発生する超音波振動が増幅伝達されて破砕用のチップ１２４を超音波振動させ、チップ１２４は患者眼の水晶体核を破砕乳化する。ＵＳハンドピース１２０が持つ超音波振動子は、操作パネル１１２を介して出力が設定され、制御部１４０の制御によって出力調節される。ＵＳハンドピース１２０の後端には柔軟性を持つ吸引チューブ１１７が接続され、吸引チューブ１１７の後方の途中には、吸引圧を発生するための吸引ポンプ（図示せず）が配設されている。吸引ポンプは制御部１４０により制御され、その吸引流量が調整される。吸引された廃液（灌流液、破砕乳化された水晶体核など）は、廃液袋１１８に排出される。
【０００９】
ＵＳハンドピース１２０とＩ／Ａハンドピース１３０とは、術者による一回の手術の中で順次使用される。
【００１０】
そして、手術で使用されたＵＳハンドピース１２０およびＩ／Ａハンドピース１３０の灌流路および吸引路には、血液、脂肪、蛋白、皮質、薬品等が付着して目詰まりを起こしており、次回の手術に備えてＵＳハンドピース１２０およびＩ／Ａハンドピース１３０の灌流路および吸引路を洗浄することが必要不可欠である。洗浄が不十分であると前回の手術における患者の残留物から感染を引き起こす危険性が考えられ、目詰まり状態が器械の機能を低下させるだけではなく、手術の治癒経過も危うくする。
【００１１】
本願出願人は、かかる問題点を解決するべく、特許文献１の提案をすでに行った。この提案は、「ハンドピースのチップ側を洗浄水に浸し、第１の開閉弁および第２の開閉弁の一方を開くとともに他方を閉じた状態で吸引手段によりそれぞれ第１の管路および第２の管路を通じて洗浄水を吸引して第１の管路および第２の管路内をそれぞれ洗浄し、第１の開閉弁および第２の開閉弁がともに開くか、またはいずれか一方が開いた状態でエアーブロー手段により第１の管路および第２の管路内をエアーブローしてそれぞれの管路内を乾燥する」（特許文献１の図１参照）ようにしたものである。
【先行技術文献】
【特許文献】
【００１２】
【特許文献１】特開２０１１−２０２号公報
【発明の概要】
【発明が解決しようとする課題】
【００１３】
しかしながら、従来の管路洗浄・乾燥装置では、ＵＳハンドピースおよびＩ／Ａハンドピースの管路に洗浄水を吸引して管路内を洗浄するようになっていたが、ＵＳハンドピースおよびＩ／Ａハンドピースの管路内には頑固な付着物（脂肪、蛋白等）が付着している場合があり、これらの頑固な付着物をも確実に洗浄して乾燥することが望ましいが、吸引手段が１種類しか設けられていなかったので、管路の特性（管路径や物理的強度等）や汚れ具合（管路の詰まりや使用状態等）に応じて適切な洗浄水の吸引圧力を選択することができないという問題点があった。
【００１４】
また、従来の管路洗浄・乾燥装置では、エアーブロー手段として、オイル方式のエアーコンプレッサーが使用されていたので、オイル方式のコンプレッサーによりＵＳハンドピースおよびＩ／Ａハンドピースの管路をエアーブローした後に、管路内にオイルが残留する場合があるという問題点があった。
【００１５】
本発明の目的は、上述の点に鑑み、洗浄対象物（例えば、眼科手術用のハンドピース等）の管路内を、洗浄対象物の特性（管路径や物理的強度等）や汚れ具合（管路の詰まりや使用状態等）に応じて洗浄水の吸引圧力を切り換えて洗浄することができるようにした管路洗浄・乾燥装置を提供することにある。
【００１６】
また、本発明の別の目的は、洗浄対象物（例えば、眼科手術用のハンドピース等）の管路内をエアーブローした後にオイルが残留しないようにした管路洗浄・乾燥装置を提供することにある。
【課題を解決するための手段】
【００１７】
請求項１記載の管路洗浄・乾燥装置は、洗浄対象物の管路を洗浄および乾燥する管路洗浄・乾燥装置において、洗浄水を洗浄対象物の管路を通じて吸引する第１の吸引手段と、前記第１の吸引手段よりも強い吸引圧力を有し、洗浄水を洗浄対象物の管路を通じて吸引する第２の吸引手段と、洗浄対象物の管路を通じてエアーブローするエアーブロー手段と、前記第１の吸引手段、前記第２の吸引手段および前記エアーブロー手段を開閉自在に連通する電磁弁群と、前記電磁弁群を開閉して前記第１の吸引手段または前記第２の吸引手段のいずれかにより洗浄対象物の管路を通じて洗浄水を吸引することにより洗浄した後に、前記エアーブロー手段により洗浄対象物の管路を通じてエアーブローすることにより乾燥するように制御する制御手段とを有することを特徴とする。
【００１８】
請求項２記載の管路洗浄・乾燥装置は、請求項１記載の管路洗浄・乾燥装置において、前記第１の吸引手段がダイヤフラムポンプでなり、前記第２の吸引手段がピストンポンプでなることを特徴とする。
【００１９】
請求項３記載の管路洗浄・乾燥装置は、請求項１または２記載の管路洗浄・乾燥装置において、前記エアーブロー手段が、ノンオイルタイプのコンプレッサーであることを特徴とする。
【００２０】
請求項４記載の管路洗浄・乾燥装置は、請求項２または３記載の管路洗浄・乾燥装置において、前記管路洗浄・乾燥装置への電源供給をオン／オフする電源スイッチと、前記ダイヤフラムポンプの動作を選択するダイヤフラムポンプスイッチと、前記ピストンポンプの動作を選択するピストンポンプスイッチと、前記ダイヤフラムポンプまたは前記ピストンポンプによる吸引動作を選択する吸引スイッチと、前記コンプレッサーによるエアーブロー動作を選択するエアーブロースイッチと、前記コンプレッサーによるエアーブロー動作のみを選択するエアーブロー専用スイッチと、前記吸引スイッチにより吸引動作が選択された状態で前記ダイヤフラムポンプまたは前記ピストンポンプによる吸引動作をオン／オフする吸引制御用フィットスイッチと、前記エアーブロースイッチまたは前記エアーブロー専用スイッチによりエアーブロー動作が選択された状態で前記コンプレッサーによるエアーブロー動作をオン／オフするエアーブロー制御用フットスイッチとを備えることを特徴とする。
【００２１】
請求項５記載の管路洗浄・乾燥装置は、請求項１ないし４のいずれか１項に記載の管路洗浄・乾燥装置において、吸引／エアーブロー兼用コネクターを備えることを特徴とする。
【００２２】
請求項６記載の管路洗浄・乾燥装置は、請求項１ないし５のいずれか１項に記載の管路洗浄・乾燥装置において、エアーブロー専用コネクターを備えることを特徴とする。
【発明の効果】
【００２３】
請求項１記載の管路洗浄・乾燥装置によれば、洗浄対象物の管路を洗浄および乾燥する管路洗浄・乾燥装置において、洗浄水を洗浄対象物の管路を通じて吸引する第１の吸引手段と、第１の吸引手段よりも強い吸引圧力を有し、洗浄水を洗浄対象物の管路を通じて吸引する第２の吸引手段と、洗浄対象物の管路を通じてエアーブローするエアーブロー手段と、第１の吸引手段、第２の吸引手段およびエアーブロー手段を開閉自在に連通する電磁弁群と、電磁弁群を開閉して第１の吸引手段または第２の吸引手段のいずれかにより洗浄対象物の管路を通じて洗浄水を吸引することにより洗浄した後に、エアーブロー手段により洗浄対象物の管路を通じてエアーブローすることにより乾燥するように制御する制御手段とを有するので、洗浄対象物の特性（管路径や物理的強度等）や汚れ具合（管路の詰まりや使用状態等）に応じて管路に対して、第１の吸引手段または第２の吸引手段のいずれかにより洗浄水の吸引による洗浄を行った後に、エアーブロー手段によりエアーブローによる乾燥を行うようにしたことにより、従来の人手による注射器などを用いた管路洗浄・乾燥方法と異なり、効率よくしかも確実に洗浄対象物の洗浄および乾燥を行うことができるという効果がある。
【００２４】
請求項２記載の管路洗浄・乾燥装置によれば、第１の吸引手段がダイヤフラムポンプでなり、第２の吸引手段がピストンポンプでなるので、洗浄対象物の特性（管路径や物理的強度等）や汚れ具合（管路の詰まりや使用状態等）に応じてポンプを切り換えて洗浄対象物の管路を洗浄することができるという効果がある。
【００２５】
請求項３記載の管路洗浄・乾燥装置によれば、エアーブロー手段をノンオイルタイプのコンプレッサーとしたことにより、エアーブロー中にオイルが混入して洗浄対象物の管路内に残留してしまうという不具合を未然に防止することができるという効果がある。例えば、洗浄対象物が眼科手術用のＩ／ＡハンドピースやＵＳハンドピースである場合、次回手術時にＩ／ＡハンドピースやＵＳハンドピースの管路を通じて患者の眼にオイルが入ってしまうことが無くなり、術後のオイルによる炎症や治癒の遅れを防止することができるという効果がある。
【００２６】
請求項４記載の管路洗浄・乾燥装置によれば、管路洗浄・乾燥装置への電源供給をオン／オフする電源スイッチと、ダイヤフラムポンプの動作を選択するダイヤフラムポンプスイッチと、ピストンポンプの動作を選択するピストンポンプスイッチと、ダイヤフラムポンプまたはピストンポンプによる吸引動作を選択する吸引スイッチと、コンプレッサーによるエアーブロー動作を選択するエアーブロースイッチと、コンプレッサーによるエアーブロー動作のみを選択するエアーブロー専用スイッチと、吸引スイッチにより吸引動作が選択された状態でダイヤフラムポンプまたはピストンポンプによる吸引動作をオン／オフする吸引制御用フィットスイッチと、エアーブロースイッチまたはエアーブロー専用スイッチによりエアーブロー動作が選択された状態でコンプレッサーによるエアーブロー動作をオン／オフするエアーブロー制御用フットスイッチとを備えるので、操作者は、一連の洗浄および乾燥作業の操作を容易に遂行することができるという効果がある。
【００２７】
請求項５記載の管路洗浄・乾燥装置によれば、吸引／エアーブロー兼用コネクターを備えるので、洗浄水の吸引による洗浄後に、エアーブローによる乾燥を行う際に、洗浄対象物の管路の接続の付け替えを行う必要がなく、洗浄水の吸引による洗浄とエアーブローによる乾燥とを連続的に行うことができるという効果がある。
【００２８】
請求項６記載の管路洗浄・乾燥装置によれば、エアーブロー専用コネクターを備えるので、洗浄水の吸引による洗浄が必要ない場合には、エアーブローによる乾燥のみを行うことができ、管路の洗浄および乾燥の作業時間を短縮することができるという効果がある。
【図面の簡単な説明】
【００２９】
【図１】本発明の実施例に係る管路洗浄・乾燥装置の構成を示す図である。
【図２】図１中のピストンポンプの駆動系を示す図である。
【図３】（Ａ）はＵＳハンドピースの側面図、（Ｂ）はＩ／Ａハンドピースの側面図である。
【図４】実施例に係る管路洗浄・乾燥装置における操作パネル部の正面図および操作パネル部への各種チューブの接続状態を示す図である。
【図５】実施例に係る管路洗浄・乾燥装置の制御系のブロック図である。
【図６】実施例に係る管路洗浄・乾燥装置におけるダイヤフラムポンプの使用時の作業手順を示すフローチャートである。
【図７】実施例に係る管路洗浄・乾燥装置におけるピストンポンプの使用時の作業手順の前半部を示すフローチャートである。
【図８】実施例に係る管路洗浄・乾燥装置におけるピストンポンプの使用時の作業手順の後半部を示すフローチャートである。
【図９】実施例に係る管路洗浄・乾燥装置におけるエアーブローのみの使用時の作業手順を示すフローチャートである。
【図１０】実施例に係る管路洗浄・乾燥装置における各種動作時の電磁弁弁体の開閉状態を示す図である。
【図１１】実施例に係る管路洗浄・乾燥装置におけるダイヤフラムポンプによる洗浄水の流路を示す図である。
【図１２】実施例に係る管路洗浄・乾燥装置におけるコンプレッサーによるエアーブローの流路を示す図である。
【図１３】実施例に係る管路洗浄・乾燥装置におけるピストンポンプによる洗浄水の流路を示す図である。
【図１４】実施例に係る管路洗浄・乾燥装置におけるピストンポンプによる排水の流路を示す図である。
【図１５】実施例に係る管路洗浄・乾燥装置におけるコンプレッサーによるエアーブローの流路を示す図である。
【図１６】実施例に係る管路洗浄・乾燥装置における洗浄水吸引作業の様子を示す要部斜視図である。
【図１７】実施例に係る管路洗浄・乾燥装置におけるエアーブロー作業の様子を示す要部斜視図である。
【図１８】従来の超音波白内障手術装置を説明する図であって、（Ａ）は外観斜視図、（Ｂ）は制御系のブロック図である。
【発明を実施するための形態】
【００３０】
以下、本発明を図示の実施例に基づいて説明する。
【実施例】
【００３１】
図１に示すように、本発明の実施例に係る管路洗浄・乾燥装置は、洗浄水タンクＴＫ１に収容された洗浄水に洗浄対象物であるＵＳハンドピース１２０またはＩ／Ａハンドピース１３０の先端部を挿入し、各種の電磁弁、ポンプなどを制御して洗浄を行う。そして、洗浄後には、洗浄水タンクＴＫ１を取り外して代わりに排水ボトルＴＫ２を配置し（あるいは排水ボトルＴＫ２を別の位置に配置し）、各種の電磁弁、ポンプなどを制御して乾燥を行う。
【００３２】
本実施例に係る管路洗浄・乾燥装置の第１の特徴は、ピストンポンプ４およびダイヤフラムポンプ５という吸引圧力の異なる２種類のポンプを備えたことにある。ダイヤフラムポンプ５の吸引圧力は０〜５００ｍＨｇであり、ピストンポンプ４の吸引圧力は５０１〜１０００ｍＨｇである。このように吸引圧力の異なる２種類のポンプを備えたのは、管路内の残留物の吸引時には吸引圧力の大きいポンプが望ましいが、ハンドピースによっては強い吸引圧力に対して強度的に耐えられないものもあるので、吸引圧力の異なる２種類のポンプを備えて選択的に使用できるようにしたからである。詳しくは、洗浄対象物であるハンドピース（ＵＳハンドピース１２０またはＩ／Ａハンドピース１３０）の特性（管路径や物理的強度等）や汚れ具合（管路の詰まりや使用状態等）に応じて、ダイヤフラムポンプ５またはピストンポンプ４を選択してハンドピースの管路を通じて洗浄水を吸引することにより管路内を洗浄できるようにしたからである。
【００３３】
また、本実施例に係る管路洗浄・乾燥装置の第２の特徴は、エアーブロー用のコンプレッサー６にオイルレスのものを採用した点である。その理由は、コンプレッサー６をオイルレスにすることにより、エアーブロー中にオイルが混入されることを防止するためである。このようにしたことにより、次回の手術においてハンドピースの管路内に残留したオイルが、ハンドピースの管路を介して患者の眼球に送られてしまうことがなくなり、オイルによる術後の炎症や治癒の遅延を確実に防止することができる。
【００３４】
図１に示すように、第１の電磁弁１は４方弁であり、第１の弁口１ａと第１の弁体Ａとの組合せ、第２の弁口１ｂと第２の弁体Ｂとの組合せ、第３の弁口１ｃと第３の弁体Ｃとの組合せ、および第４の弁口１ｄと第４の弁体Ｄとの組合せを備えている。
【００３５】
第１の弁口１ａは、第２の吸引／エアーブロー兼用管路４ｃの一端に水密的に接続され、第２の吸引／エアーブロー兼用管路４ｃの他端は吸引／エアーブロー兼用コネクター２２ｆ（図４参照）に水密的に接続されている。第２の弁口１ｂは、第２のエアーブロー専用管路６ｂの一端に水密的に接続されている。第３の弁口１ｃは、第１の吸引／エアーブロー兼用管路４ｂを介してピストンポンプ４の連結口４ａに水密的に接続されている。第４の弁口１ｄは、排水専用管路４ｄの一端に水密的に接続され、排水専用管路４ｄの他端は排水コネクター２２ｉ（図４参照）に水密的に接続されている。
【００３６】
ダイヤフラムポンプ５の吸引口側には、吸引専用管路５ａの一端が水密的に接続され、吸引専用管路５ａの他端は第２の電磁弁２の弁口２ａに水密的に接続されている。第２の電磁弁２の弁口２ａは、第２の吸引／エアーブロー兼用管路４ｃに水密的に接続されている。符号Ｅは、第２の電磁弁２の弁体である。
【００３７】
また、ダイヤフラムポンプ５の排出側には、排水専用管路５ｂの一端が水密的に接続され、排水専用管路５ｂの他端は排水専用管路４ｄに水密的に接続されている。
【００３８】
第３の電磁弁３は、第１の弁口３ａと第１の弁体Ｆとの組合せを備えるとともに、第２の弁口３ｂと第２の弁体Ｇとの組合せを備えている。符号３ｃは、弁体を備えない第３の弁口を示し、第１のエアーブロー専用管路６ａおよびエアーブロー用フィルター６１を介してコンプレッサー６の排出口に水密的に接続されている。コンプレッサー６の吸引口は、吸引用フィルター６２を通じて大気に開放されている。
【００３９】
第３の電磁弁３の第１の弁口３ａは、第２のエアーブロー専用管路６ｂの一端に水密的に接続され、第２のエアーブロー専用管路６ｂの他端は、第１の電磁弁１の第２の弁口１ｂに水密的に接続されている。第３の電磁弁３の第２の弁口３ｂは、第３のエアーブロー専用管路６ｃの一端に水密的に接続されている。第３のエアーブロー専用管路６ｃの他端は、エアーブロー専用コネクター２２ｈ（図４参照）に水密的に接続されている。
【００４０】
図２を参照すると、ピストンポンプ４は、シリンダー４１と、シリンダー４１に嵌挿されたピストン４２と、ピストン４２に嵌着されたピストンリング４３と、ピストン４２のクランク軸４４とから構成されている。クランク軸４４の他端は、ピストン駆動部１１の駆動板１１ｅに接続されている。ピストン駆動部１１を構成するモーター１１ａの出力軸は、第１の歯車１１ｂの中央軸孔に固定され、第１の歯車１１ｂは第２の歯車１１ｃおよび第３の歯車１１ｄにそれぞれ噛合されている。第２の歯車１１ｃの中央軸孔には、表面にウォームが螺刻されたウォーム軸１１ｃ1の一端が固定されている。第３の歯車１１ｄの中央軸孔には、表面にウォームが螺刻されたウォーム軸１１ｄ1の一端が固定されている。ウォーム軸１１ｃ1とウォーム軸１１ｄ1との間には、駆動板１１ｅの歯車（図示せず）が左右方向に移動可能なように噛合されていて、駆動板１１ｅの中央にはピストン４２のクランク軸４４が接続されている。このように構成することにより、モーター１１ａの回転に応じてピストン４２が左右方向に移動され、ピストンポンプ４は、汚水（洗浄済みの洗浄水）の吸引および排出（排水）を行うことができる。
【００４１】
図３（Ａ）に示すように、ＵＳハンドピース１２０は、略円筒状のハンドピース本体１２１の中心部に吸引路１２３が配置され、その先端部には開口部１２１ａが形成され、その開口部１２１ａから破砕用のチップ１２４が延び出している。吸引路１２３の後端部は、乳化した水晶体核等を排出する出口１２３ａである。チップ１２４の内径は、例えば、０．６〜０．８ｍｍであり、出口１２３ａの内径は、例えば、０．９〜１．０ｍｍである。ハンドピース本体１２１の外側面には灌流液を患者眼に供給する灌流路１２２が形成され、灌流路１２２のチップ１２４側は開口部１２１ａに合流されている。符号１２２ａは、灌流路１２２の入口を示す。なお、ＵＳハンドピース１２０のチップ１２４内の残留物（付着物、凝固物など）を除去するには、エアーブローを用いて孔径の小さなチップ１２４の先端から残留物を排出する方法に比べて、洗浄水の吸引により孔径が大きい出口１２３ａ側から吸い出すほうが、効率がよい。
【００４２】
Ｉ／Ａハンドピース１３０は、図３（Ｂ）に示すように、ＵＳハンドピース１２０とほぼ同様の構成をしており、ハンドピース本体１３１の内側に吸引路１３３および灌流路１３２が形成されている。吸引路１３３の先端部には開口部１３１ａが形成され、その開口部１３１ａから灌流／吸引用のチップ１３４が延び出している。吸引路１３３の後端部には、出口１３３ａが形成されており、出口１３３ａの内径は、例えば、０．９〜１．０ｍｍである。チップ１３４の側面には、例えば、約０．３ｍｍの側孔１３４ａが設けられている。吸引路１３３に平行して灌流路１３２が形成され、灌流路１３２の先端側のチップ１３４は開口部１３１ａに合流されている。灌流路１３２の他端側が入口１３２ａとなっている。なお、Ｉ／Ａハンドピース１３０のチップ１３４内の残留物（付着物、凝固物など）を除去するには、エアーブローを用いて孔径の小さな側孔１３４ａから残留物を排出する方法に比べて、洗浄水の吸引により孔径が大きい出口１３３ａ側から吸い出すほうが、効率がよい。
【００４３】
管路洗浄・乾燥装置の前面には、図４に示すように、ＵＳハンドピース１２０またはＩ／Ａハンドピース１３０の洗浄水の吸引による洗浄およびエアーブローによる乾燥、エアーブローのみによる乾燥などの動作を設定操作する操作パネル部２２が設けられている。また、操作パネル部２２およびその近傍には、吸引／エアーブローチューブ３１や排水用チューブ３３が水密的に接続される各種コネクタが設けられている。
【００４４】
図４を参照すると、操作パネル部２２は、管路洗浄・乾燥装置への電源供給をオン／オフする電源スイッチ２２ａと、ダイヤフラムポンプ５の動作を選択するダイヤフラムポンプスイッチ２２ｂと、ピストンポンプ４の動作を選択するピストンポンプスイッチ２２ｃと、ダイヤフラムポンプ５またはピストンポンプ４による吸引動作を選択する吸引スイッチ２２ｄと、吸引動作中であることを表示する吸引パイロットランプ２２ｄ1と、コンプレッサー６によるエアーブロー動作を選択するエアーブロースイッチ２２ｅと、エアーブロー動作中であることを表示するエアーブローパイロットランプ２２ｅ1と、吸引／エアーブロー兼用コネクター２２ｆと、コンプレッサー６によるエアーブロー動作のみを選択するエアーブロー専用スイッチ２２ｇと、エアーブロー専用コネクター２２ｈとを備えている。
【００４５】
また、管路洗浄・乾燥装置の側面には、排水コネクター２２ｉが設けられている。また、管路洗浄・乾燥装置には、吸引スイッチ２２ｄにより吸引動作が選択された状態でダイヤフラムポンプ５またはピストンポンプ４による吸引動作をオン／オフする吸引制御用フィットスイッチ２５ａと、エアーブロースイッチ２２ｅまたはエアーブロー専用スイッチ２２ｇによりエアーブロー動作が選択された状態で、コンプレッサー６によるエアーブロー動作をオン／オフするエアーブロー制御用フットスイッチ２５ｂとからなるフットスイッチが接続されている。
【００４６】
吸引／エアーブロー兼用コネクター２２ｆには、吸引／エアーブローチューブ３１の一端が水密的に接続される。吸引／エアーブローチューブ３１の他端である先端コネクタ３１ａには、中継コネクター３２の一端が接続される。中継コネクター３２は、吸引／エアーブローチューブ３１とハンドピース（Ｉ／Ａハンドピース１３０またはＵＳハンドピース１２０）とを水密的に中継する。
【００４７】
エアーブロー専用コネクター２２ｈにも、吸引／エアーブローチューブ３１の一端が水密的に接続され、吸引／エアーブローチューブ３１の他端である先端コネクタ３１ａには中継コネクター３２の一端が接続される。
【００４８】
図５は、実施例に係る管路洗浄・乾燥装置の制御系を示すブロック図であり、電源スイッチ２２ａ、ダイヤフラムポンプスイッチ２２ｂ、ピストンポンプスイッチ２２ｃ、吸引スイッチ２２ｄ、エアーブロースイッチ２２ｅ、エアーブロー専用スイッチ２２ｇ、吸引制御用フットスイッチ２５ａ、エアーブロー制御用フットスイッチ２５ｂ、吸引パイロットランプ２２ｄ1、エアーブローパイロットランプ２２ｅ1、第１の電磁弁１、第２の電磁弁２、第３の電磁弁３、ピストンポンプ４、ダイヤフラムポンプ５、コンプレッサー６などが、制御部ＣＴに接続されている。制御部ＣＴは、マイクロコンピューターなどから構成され、プログラムにより入力された指示に応じて、所定の出力を行うようになっている。
【００４９】
次に、このように構成された実施例に係る管路洗浄・乾燥装置の動作を、図６〜図９のフローチャート、図１０の動作時の電磁弁の開閉状態を示す図、図１１〜図１５の動作時の流路を示す図、図１６および図１７の洗浄水の吸引による洗浄作業およびエアーブローによる乾燥作業の様子を示す図を参照しながら説明する。なお、動作の説明では、主として、洗浄対象物がＩ／Ａハンドピース１３０であり、洗浄対象管路が吸引路１３３である場合を例にとって説明する。
【００５０】
＜ダイヤフラムポンプ５の使用時＞
【００５１】
まず、操作者は、図４に示すように、吸引／エアーブローチューブ３１の一端を吸引／エアーブロー兼用コネクター２２ｆに水密的に接続する（図６のステップＳ１０１）。
【００５２】
次に、操作者は、吸引／エアーブローチューブ３１の他端を中継コネクター３２を介してＩ／Ａハンドピース１３０の手元側にある出口１３３ａに水密的に接続する（図６のステップＳ１０２）。
【００５３】
続いて、操作者は、図１６に示すように、Ｉ／Ａハンドピース１３０を手に持ってチップ１３４側を洗浄水タンクＴＫ１に収容された洗浄水に浸す（図６のステップＳ１０３）。
【００５４】
次に、操作者は、排水用チューブ３３の一端を管路洗浄・乾燥装置の側面に設けられた排水コネクター２２ｉに水密的に接続し、排水用チューブ３３の他端を排水ボトルＴＫ２に挿し込む（図６のステップＳ１０４）。
【００５５】
続いて、操作者は、電源スイッチ２２ａを指で押圧することにより同スイッチをＯＮにする（図６のステップＳ１０５）。すると、図５に示す制御系に電源が投入されて、実施例に係る管路洗浄・乾燥装置が待機状態になる。
【００５６】
次に、操作者は、ダイヤフラムポンプスイッチ２２ｂを指で押圧することにより同スイッチをＯＮにする（図６のステップＳ１０６）。すると、制御部ＣＴの制御により、第１〜第３の電磁弁１〜３がそれぞれ開閉制御され、各電磁弁１〜３の弁体Ａ〜Ｇは、図１０の「ダイヤフラムポンプの使用時」の行に示すような開閉状態となる（図６のステップＳ１０７）。すなわち、各弁体の開閉状態は、弁体Ａ（×）、弁体Ｂ（×）、弁体Ｃ（×）、弁体Ｄ（×）、弁体Ｅ（○）、弁体Ｆ（×）、弁体Ｇ（×）となり、図１１中に実線矢印で示す洗浄水の通過路となる第１の流路Ｒ１が形成される。なお、「○」が弁体の開口状態を示し、「×」が弁体の閉止状態を示す（以下、同様）。
【００５７】
次に、操作者は、吸引制御用フットスイッチ２５ａを足で踏み込むことにより同スイッチをＯＮにする（図６のステップＳ１０８）。すると、制御部ＣＴの制御により、ダイヤフラムポンプ５が吸引・排水動作を開始し、洗浄水タンクＴＫ１の洗浄水がＩ／Ａハンドピース１３０の吸引路１３３および第１の流路Ｒ１（すなわち、第２の吸引／エアーブロー兼用管路４ｃおよび吸引専用管路５ａ）を通じて吸引される一方、洗浄済みの洗浄水（汚水）が排水専用管路１５ｂおよび排水専用管路４ｄを通じて排水ボトルＴＫ２に排水される（図６のステップＳ１０９）。
【００５８】
次に、制御部ＣＴは、吸引制御用フットスイッチ２５ａがＯＦＦかどうかを判定し（図６のステップＳ１１０）、操作者が吸引制御用フットスイッチ２５ａを踏み込み続ける限り（図６のステップＳ１１０：ＯＮ）、ステップＳ１０８に制御を戻して、ステップＳ１０８〜Ｓ１１０を繰り返す。すなわち、ダイヤフラムポンプ５による洗浄水の吸引および汚水の排水を繰り返す。
【００５９】
Ｉ／Ａハンドピース１３０の吸引路１３３内の洗浄が十分に行われたと判断したならば、操作者は、吸引制御用フットスイッチ２５ａの踏み込みを解除することにより同スイッチをＯＦＦにする（図６のステップＳ１１０：ＯＦＦ）。すると、制御部ＣＴの制御により、ダイヤフラムポンプ５の吸引・排水動作が停止される。
【００６０】
続いて、操作者は、Ｉ／Ａハンドピース１３０の吸引路１３３内をコンプレッサー６のエアーブローにより乾燥するために、Ｉ／Ａハンドピース１３０のチップ１３４側を洗浄水タンクＴＫ１から排水ボトルＴＫ２に挿し換えた後（図６のステップＳ１１１）、エアーブロースイッチ２２ｅを指で押圧することにより同スイッチをＯＮにする（図７のステップＳ１１２）。すると、制御部ＣＴの制御により、第１〜第３の電磁弁１〜３がそれぞれ開閉制御され、各電磁弁１〜３の弁体Ａ〜Ｇは、図１０の「コンプレッサーによるエアーブロー（吸引／エアーブロー兼用コネクターを使用）」の行に示すような開閉状態となる（図６のステップＳ１１３）。すなわち、各弁体の開閉状態は、弁体Ａ（○）、弁体Ｂ（○）、弁体Ｃ（×）、弁体Ｄ（×）、弁体Ｅ（×）、弁体Ｆ（○）、弁体Ｇ（×）となり、図１２中に実線矢印で示すエアーブローの通過路となる第２の流路Ｒ２が形成される。
【００６１】
次に、操作者は、エアーブロー制御用フットスイッチ２５ｂを足で踏み込むことにより同スイッチをＯＮにする（図６のステップＳ１１４）。すると、制御部ＣＴの制御により、コンプレッサー６のエアーブロー動作が開始され、第２の流路Ｒ２（すなわち、第１のエアーブロー専用管路６ａ、第２のエアーブロー専用管路６ｂおよび第２の吸引／エアーブロー兼用管路４ｃ）を通じて、Ｉ／Ａハンドピース１３０の吸引路１３３の内壁に残っていた水滴や残留物がチップ１３４側から吹き飛ばされ、排水ボトルＴＫ２に排出される（図６のステップＳ１１５）。
【００６２】
次に、制御部ＣＴは、エアーブロー制御用フットスイッチ２５ｂがＯＦＦかどうかを判定し（図６のステップＳ１１６）、操作者がエアーブロー制御用フットスイッチ２５ｂを踏み込み続ける限り（図６のステップＳ１１６：ＯＮ）、ステップＳ１１４に制御を戻して、ステップＳ１１４〜Ｓ１１６を繰り返す。すなわち、コンプレッサー６のエアーブローによる乾燥を繰り返す。
【００６３】
Ｉ／Ａハンドピース１３０の吸引路１３３内のエアーブローによる乾燥が十分に行われたと判断したならば、操作者は、エアーブロー制御用フットスイッチ２５ｂの踏み込みを解除することにより同スイッチをＯＦＦにする（図６のステップＳ１１６：ＯＦＦ）。すると、制御部ＣＴの制御により、コンプレッサー６のエアーブロー動作が停止され、吸引路１３３内のエアーブローによる乾燥が終了する。
【００６４】
次に、操作者は、電源スイッチ２２ａを指で押圧することによりＯＦＦにして（図６のステップＳ１１７）、Ｉ／Ａハンドピース１３０を中継コネクター３２から取り外す（図６のステップＳ１１８）。
【００６５】
以上の操作および制御により、ダイヤフラムポンプ５の使用時の洗浄・乾燥作業が完了する。
【００６６】
なお、Ｉ／Ａハンドピース１３０の灌流路１３２についても、中継コネクター３２を灌流路１３２の入口１３２ａに接続する点を除いて、吸引路１３３の場合と同様に洗浄および乾燥を行うことができる。また、洗浄対象物がＵＳハンドピース１２０の場合も、全く同一の動作で洗浄水の吸引による洗浄およびエアーブローによる乾燥が行われることは言うまでもない。
【００６７】
＜ピストンポンプ４の使用時＞
【００６８】
まず、操作者は、図４に示すように、吸引／エアーブローチューブ３１の一端を吸引／エアーブロー兼用コネクター２２ｆに水密的に接続する（図７のステップＳ２０１）。
【００６９】
次に、操作者は、吸引／エアーブローチューブ３１の他端を中継コネクター３２を介してＩ／Ａハンドピース１３０の手元側にある出口１３３ａに水密的に接続する（図７のステップＳ２０２）。
【００７０】
続いて、操作者は、図１６に示すように、Ｉ／Ａハンドピース１３０のチップ１３４側を洗浄水タンクＴＫ１に収容された洗浄水に浸す（図７のステップＳ２０３）。
【００７１】
次に、操作者は、排水用チューブ３３の一端を排水コネクター２２ｉに水密的に接続し、排水用チューブ３３の他端を排水ボトルＴＫ２に挿し込む（図７のステップＳ２０４）。
【００７２】
続いて、操作者は、電源スイッチ２２ａを指で押圧することにより同スイッチをＯＮにする（図７のステップＳ２０５）。すると、図５に示す制御系に電源が投入されて、実施例に係る管路洗浄・乾燥装置が待機状態になる。
【００７３】
次に、操作者は、ピストンポンプスイッチ２２ｃを指で押圧することにより同スイッチをＯＮにする（図７のステップＳ２０６）。すると、制御部ＣＴの制御により、第１〜第３の電磁弁１〜３がそれぞれ開閉制御され、各電磁弁１〜３の弁体Ａ〜Ｇは、図１０の「ピストンポンプの使用時」の「吸引」の行に示すような開閉状態となる（図７のステップＳ２０７）。すなわち、各弁体の開閉状態は、弁体Ａ（○）、弁体Ｂ（×）、弁体Ｃ（○）、弁体Ｄ（×）、弁体Ｅ（×）、弁体Ｆ（×）、弁体Ｇ（×）となり、図１３に実線矢印で示す洗浄水の通過路となる第３の流路Ｒ３が形成される。
【００７４】
続いて、操作者は、吸引制御用フットスイッチ２５ａを足で踏み込むことにより同スイッチをＯＮにする（図７のステップＳ２０８）。すると、制御部ＣＴの制御により、ピストンポンプ４が吸引動作を開始し、第３の流路Ｒ３（すなわち、第２の吸引／エアーブロー兼用管路４ｃおよび第１の吸引／エアーブロー兼用管路４ｂ）を通じて、洗浄水タンクＴＫ１内の洗浄水が吸引され、吸引路１３３内が洗浄される（図７のステップＳ２０９）。吸引制御用フットスイッチ２５ａが踏み込まれている間は、洗浄水の吸引による洗浄動作は継続され、洗浄済みの洗浄水（汚水）はシリンダー４１内に貯水される。
【００７５】
ピストンポンプ４がピストン４２の最大ストローク位置まで汚水を吸引すると、吸引動作が終了する（図７のステップＳ２１０）。すると、制御部ＣＴの制御により、第１〜第３の電磁弁１〜３がそれぞれ制御され、図１０の「ピストンポンプの使用時」の「排水」の行に示すような開閉状態となる（図７のステップＳ２１１）。すなわち、各弁体の開閉状態は、弁体Ａ（○）、弁体Ｂ（○）、弁体Ｃ（×）、弁体Ｄ（×）、弁体Ｅ（×）、弁体Ｆ（○）、弁体Ｇ（×）となり、図１４に実線矢印で示す汚水を流す通過路となる第４の流路Ｒ４が形成される。
【００７６】
次に、制御部ＣＴの制御により、ピストンポンプ４のピストン４２が排水方向に動作され、第４の流路Ｒ４（すなわち、第１の吸引／エアーブロー兼用管路４ｂおよび排水専用管路４ｄ）を通じて汚水が排水ボトルＴＫ２に排水される（図７のステップＳ２１２）。吸引制御用フットスイッチ２５ａが踏み込まれている間は、汚水の排水動作は継続される。
【００７７】
ピストンポンプ４がピストン４２の最短ストローク位置まで汚水を排水すると、汚水の排水が終了する（図７のステップＳ２１３）。すると、制御部ＣＴの制御により、第１〜第３の電磁弁１〜３がそれぞれ制御され、図１０の「ピストンポンプの使用時」の「吸引」の行に示すような開閉状態となる（図７のステップＳ２１４）。すなわち、各弁体の開閉状態は、弁体Ａ（○）、弁体Ｂ（×）、弁体Ｃ（○）、弁体Ｄ（×）、弁体Ｅ（×）、弁体Ｆ（×）、弁体Ｇ（×）となり、図１３に実線矢印で示す汚水を流す通過路となる第３の流路Ｒ３が形成される。
【００７８】
次に、制御部ＣＴは、吸引制御用フットスイッチ２５ａがＯＦＦかどうかを判定し（図７のステップＳ２１５）、操作者が吸引制御用フットスイッチ２５ａを踏み込み続ける限り（図７のステップＳ２１５：ＯＮ）、ステップＳ２０９に制御を戻して、ステップＳ２０９〜Ｓ２１５を繰り返す。すなわち、ピストンポンプ４による洗浄水の吸引および汚水の排水を繰り返す。
【００７９】
そして、操作者が吸引制御用フットスイッチ２５ａの踏み込みを解除すると同スイッチがＯＦＦとなり（図７のステップＳ２１５：ＯＦＦ）、ピストンポンプ４による洗浄水の吸引および汚水の排水を終了する。
【００８０】
次に、操作者は、コンプレッサー６のエアーブローによる乾燥を行うために、Ｉ／Ａハンドピース１３０のチップ１３４側を洗浄水ボトルＴＫ１から排水ボトルＴＫ２に挿し換えた後（図８のステップＳ２１６）、エアーブロースイッチ２２ｅを指で押圧することにより同スイッチをＯＮにする（図８のステップＳ２１７）。すると、制御部ＣＴの制御により、第１〜第３の電磁弁１〜３がそれぞれ開閉制御され、各電磁弁１〜３の弁体Ａ〜Ｇは、図１０の「コンプレッサーによるエアーブロー（吸引／エアーブロー兼用コネクターを使用）」の行に示すような開閉状態となる（図８のステップＳ２１８）。すなわち、各弁体の開閉状態は、弁体Ａ（○）、弁体Ｂ（○）、弁体Ｃ（×）、弁体Ｄ（×）、弁体Ｅ（×）、弁体Ｆ（○）、弁体Ｇ（×）となり、図１２中に実線矢印で示すエアーブローの通過路となる第２の流路Ｒ２が形成される。
【００８１】
次に、操作者は、エアーブロー制御用フットスイッチ２５ｂを足で踏み込むことにより同スイッチをＯＮにする（図８のステップＳ２１９）。すると、制御部ＣＴの制御により、コンプレッサー６のエアーブロー動作が開始され、第２の流路Ｒ２（すなわち、第１のエアーブロー専用管路６ａ、第２のエアーブロー専用管路６ｂおよび第２の吸引／エアーブロー兼用管路４ｃ）を通じてＩ／Ａハンドピース１３０の吸引路１３３の内壁に残っていた水滴や残留物が吹き飛ばされ、排水ボトルＴＫ２に排出される（図８のステップＳ２２０）。
【００８２】
次に、制御部ＣＴは、エアーブロー制御用フットスイッチ２５ｂがＯＦＦかどうかを判定し（図８のステップＳ２２１）、操作者がエアーブロー制御用フットスイッチ２５ｂを踏み込み続ける限り（図８のステップＳ２２１：ＯＮ）、ステップＳ２１９に制御を戻して、ステップＳ２１９〜Ｓ２２１を繰り返す。すなわち、コンプレッサー６のエアーブローによる乾燥を繰り返す。
【００８３】
Ｉ／Ａハンドピース１３０の吸引路１３３内のエアーブローが十分に行われたと判断したならば、操作者は、エアーブロー制御用フットスイッチ２５ｂの踏み込みを解除することにより同スイッチをＯＦＦにする（図８のステップＳ２２１：ＯＦＦ）。すると、制御部ＣＴの制御により、コンプレッサー６のエアーブロー動作が停止され、吸引路１３３内のエアーブローによる乾燥が終了する。
【００８４】
最後に、操作者は、電源スイッチ２２ａを指で押圧することによりＯＦＦにして（図８のステップＳ２２２）、Ｉ／Ａハンドピース１３０を中継コネクター３２から取り外す（図８のステップＳ２２３）。
【００８５】
以上の操作および制御により、ピストンポンプ４の使用時の洗浄・乾燥作業が完了する。
【００８６】
なお、Ｉ／Ａハンドピース１３０の灌流路１３２についても、中継コネクター３２を灌流路１３２の入口１３２ａに接続する点を除いて、吸引路１３３の場合と同様に、洗浄水の吸引による洗浄およびエアーブローによる乾燥を行うことができる。また、洗浄対象物がＵＳハンドピース１２０の場合も、全く同一の動作で洗浄水の吸引による洗浄およびエアーブローによる乾燥が行われることは言うまでもない。
【００８７】
＜エアーブローのみの使用時＞
【００８８】
まず、操作者は、吸引／エアーブローチューブ３１の一端をエアーブロー専用コネクター２２ｈに水密的に接続する（図９のステップＳ３０１）。
【００８９】
次に、操作者は、吸引／エアーブローチューブ３１の他端を中継コネクター３２を介してＩ／Ａハンドピース１３０の手元側の出口１３３ａに水密的に接続する（図９のステップＳ３０２）。
【００９０】
続いて、操作者は、Ｉ／Ａハンドピース１３０のチップ１３４側を排水ボトルＴＫ２に挿し込む（図９のステップＳ３０３）。
【００９１】
次に、操作者は、電源スイッチ２２ａを指で押圧することにより同スイッチをＯＮにする（図９のステップＳ３０４）。すると、図５に示す制御系に電源が投入されて、実施例に係る管路洗浄・乾燥装置が待機状態になる。
【００９２】
続いて、操作者は、エアーブロー専用スイッチ２２ｇを指で押圧することにより同スイッチをＯＮにする（図９のステップＳ３０５）。すると、制御部ＣＴの制御により、第１〜第３の電磁弁１〜３がそれぞれ制御され、各電磁弁１〜３の弁体は、図１０の「コンプレッサーによるエアーブロー（エアーブロー専用コネクターを使用）」の行に示すような開閉状態となる（図９のステップＳ３０６）。すなわち、各弁体の開閉状態は、弁体Ａ（×）、弁体Ｂ（×）、弁体Ｃ（×）、弁体Ｄ（×）、弁体Ｅ（×）、弁体Ｆ（×）、弁体Ｇ（○）となり、図１５に実線矢印で示すエアーブローの通過路となる第５の流路Ｒ５が形成される。このように、エアーブローのみの使用時に、第５の流路Ｒ５という別流路を使用するのは、電磁弁をいくつも通過させずに直線的な第１のエアーブロー専用管路６ａおよび第３のエアーブロー専用管路６ｃを使用した方が、コンプレッサー６の能力を生かして強い風力のエアーブローが得られるからである。また、洗浄対象物の管路内のエアーブローばかりでなく、器具やレンズ等の管路を持たない洗浄対象物の表面をエアーブローするなどの他の目的にも使用できるようにするためである。
【００９３】
次に、操作者は、エアーブロー制御用フットスイッチ２５ｂを足で踏み込むことにより同スイッチをＯＮにする（図９のステップＳ３０７）。すると、制御部ＣＴの制御により、コンプレッサー６がエアーブロー動作を開始し、第５の流路Ｒ５（すなわち、第１のエアーブロー専用管路６ａおよび第３のエアーブロー専用管路６ｃ）を通じて吸引路１３３内に残っていた水滴や残留物が吹き飛ばされ、排水ボトルＴＫ２に排出される（図９のステップＳ３０８）。
【００９４】
次に、制御部ＣＴは、エアーブロー制御用フットスイッチ２５ｂがＯＦＦかどうかを判定し（図９のステップＳ３０９）、操作者がエアーブロー制御用フットスイッチ２５ｂを踏み込み続ける限り（図９のステップＳ３０９：ＯＮ）、ステップＳ３０７に制御を戻して、ステップＳ３０７〜Ｓ３０９を繰り返す。すなわち、コンプレッサー６のエアーブローによる乾燥を繰り返す。
【００９５】
Ｉ／Ａハンドピース１３０の吸引路１３３内のエアーブローによる乾燥が十分に行われたと判断したならば、操作者は、エアーブロー制御用フットスイッチ２５ｂの踏み込みを解除することにより同スイッチをＯＦＦにする（図９のステップＳ３０９：ＯＦＦ）。すると、制御部ＣＴの制御により、コンプレッサー６のエアーブロー動作が停止され、Ｉ／Ａハンドピース１３０の吸引路１３３内のエアーブローによる乾燥が終了する。
【００９６】
次に、操作者は、電源スイッチ２２ａを指で押圧することによりＯＦＦにして（図９のステップＳ３１０）、Ｉ／Ａハンドピース１３０を中継コネクター３２から取り外す（図９のステップＳ３１１）。
【００９７】
これにより、Ｉ／Ａハンドピース１３０の吸引路１３３内のエアーブローによる乾燥作業が終了する。
【００９８】
なお、Ｉ／Ａハンドピース１３０の灌流路１３２についても、中継コネクター３２を灌流路１３２の入口１３２ａに接続する点を除いて、吸引路１３３の場合と同様にエアーブローによる乾燥を行うことができる。また、洗浄対象物がＵＳハンドピース１２０の場合も、全く同一の動作でエアーブローによる乾燥が行われることは言うまでもない。
【００９９】
ところで、本実施例では、洗浄対象物が眼科手術用のハンドピースである場合を例にとって説明したが、管路を有する洗浄対象物であれば、本発明を同様に適用可能であることは勿論である。また、エアーブローのみの使用であれば、洗浄対象物の管路内のエアーブローばかりでなく、器具やレンズ等の管路を持たない洗浄対象物の表面のエアーブローなどにも使用できることは言うまでもない。
【０１００】
以上、本発明の実施例について説明したが、これはあくまでも例示にすぎず、本発明はこれに限定されるものではなく、特許請求の範囲の趣旨を逸脱しない限りにおいて、当業者の知識に基づく種々の変更が可能である。
【産業上の利用可能性】
【０１０１】
本発明は、眼科手術用のハンドピースの洗浄分野ばかりでなく、医学、生物学、半導体等の機械器具を洗浄する一般産業の広い技術分野で利用することができる。
【符号の説明】
【０１０２】
Ａ〜Ｄ  第１の電磁弁の弁体
Ｅ  第２の電磁弁の弁体
Ｆ  第３の電磁弁の第１の弁体
Ｇ  第３の電磁弁の第２の弁体
ＴＫ１ 洗浄水タンク
ＴＫ２  排水ボトル
１  第１の電磁弁
１ａ〜１ｄ  第１の電磁弁の第１〜第４の弁口
２ 第２の電磁弁
２ａ  第２の電磁弁の弁口
３ 第３の電磁弁
３ａ〜３ｃ  第３の電磁弁の第１〜第３の弁口
４ ピストンポンプ
４ａ  ピストンポンプの連結口
４ｂ  第１の吸引／エアーブロー兼用管路
４ｃ  第２の吸引／エアーブロー兼用管路
５ ダイヤフラムポンプ
５ａ  吸引専用管路
５ｂ  排水専用管路
６  コンプレッサー
６ａ  第１のエアーブロー専用管路
６ｂ  第２のエアーブロー専用管路
６ｃ  第３のエアーブロー専用管路
２２ 操作パネル部
２２ａ 電源スイッチ
２２ｂ ダイヤフラムポンプスイッチ
２２ｃ ピストンポンプスイッチ
２２ｄ 吸引スイッチ
２２ｄ1  吸引パイロットランプ
２２ｅ エアーブロースイッチ
２２ｅ1  エアーブローパイロットランプ
２２ｆ 吸引／エアーブロー兼用コネクター
２２ｇ エアーブロー専用スイッチ
２２ｈ エアーブロー専用コネクター
２５ａ  吸引制御用フットスイッチ
２５ｂ  エアーブロー制御用フットスイッチ
３１  吸引／エアーブローチューブ
３１ａ  先端コネクター
３２  中継コネクター
３３  排水用チューブ
１２０ ＵＳハンドピース（ハンドピース）
１２１ ハンドピース本体
１２１ａ  開口部
１２２ 灌流路（管路）
１２２ａ 入口
１２３ 吸引路（管路）
１２３ａ 出口
１２４ チップ
１３０ Ｉ／Ａハンドピース（ハンドピース）
１３１ ハンドピース本体
１３２ 灌流路（管路）
１３２ａ 入口
１３２ｂ 出口
１３３ 吸引路（管路）
１３３ａ 出口
１３４  チップ
【図１】
2013009792.tif 000003
【図２】
2013009792.tif 000004
【図３】
2013009792.tif 000005
【図４】
2013009792.tif 000006
【図５】
2013009792.tif 000007
【図６】
2013009792.tif 000008
【図７】
2013009792.tif 000009
【図８】
2013009792.tif 000010
【図９】
2013009792.tif 000011
【図１０】
2013009792.tif 000012
【図１１】
2013009792.tif 000013
【図１２】
2013009792.tif 000014
【図１３】
2013009792.tif 000015
【図１４】
2013009792.tif 000016
【図１５】
2013009792.tif 000017
【図１６】
2013009792.tif 000018
【図１７】
2013009792.tif 000019
【図１８】
2013009792.tif 000020
【手続補正書】
【提出日】平成24年5月29日(2012.5.29)
【手続補正１】
【補正対象書類名】明細書
【補正対象項目名】００７５
【補正方法】変更
【補正の内容】
【００７５】
ピストンポンプ４がピストン４２の最大ストローク位置まで汚水を吸引すると、吸引動作が終了する（図７のステップＳ２１０）。すると、制御部ＣＴの制御により、第１〜第３の電磁弁１〜３がそれぞれ制御され、図１０の「ピストンポンプの使用時」の「排水」の行に示すような開閉状態となる（図７のステップＳ２１１）。すなわち、各弁体の開閉状態は、弁体Ａ（×）、弁体Ｂ（×）、弁体Ｃ（○）、弁体Ｄ（○）、弁体Ｅ（×）、弁体Ｆ（○）、弁体Ｇ（×）となり、図１４に実線矢印で示す汚水を流す通過路となる第４の流路Ｒ４が形成される。
【手続補正２】
【補正対象書類名】図面
【補正対象項目名】図１０
【補正方法】変更
【補正の内容】
【図１０】
2013009792.tif 000021
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
洗浄対象物の管路を洗浄および乾燥する管路洗浄・乾燥装置において、
吸引／エアーブロー兼用管路に導通された吸引／エアーブロー兼用コネクターと、
エアーブロー専用管路に導通されたエアーブロー専用コネクターと、
前記吸引／エアーブロー兼用コネクターから前記吸引／エアーブロー兼用管路を通じて弱い吸引力で洗浄水を吸引することにより洗浄対象物の管路を洗浄するダイヤフラムポンプと、
前記吸引／エアーブロー兼用コネクターから前記吸引／エアーブロー兼用管路を通じて強い吸引力で洗浄水を吸引することにより洗浄対象物の管路を洗浄するピストンポンプと、
前記吸引／エアーブロー兼用管路を通じて前記吸引／エアーブロー兼用コネクターから、または前記エアーブロー専用管路を通じて前記エアーブロー専用コネクターからエアーブローすることにより洗浄対象物の管路を乾燥するコンプレッサーと、
前記吸引／エアーブロー兼用管路、前記エアーブロー専用管路、前記ダイヤフラムポンプ、前記ピストンポンプおよび前記コンプレッサーを開閉自在に連通する電磁弁群と、
前記電磁弁群を開閉制御して前記ダイヤフラムポンプにより前記吸引／エアーブロー兼用コネクターから前記吸引／エアーブロー兼用管路を通じて洗浄水を吸引することにより洗浄対象物の管路を洗浄し、しかる後に前記電磁弁群を開閉制御して前記コンプレッサーにより前記吸引／エアーブロー兼用管路を通じて前記吸引／エアーブロー兼用コネクターからエアーブローすることにより洗浄対象物の管路を乾燥する弱い吸引力による洗浄・乾燥処理と、前記電磁弁群を開閉制御して前記ピストンポンプにより前記吸引／エアーブロー兼用コネクターから前記吸引／エアーブロー兼用管路を通じて洗浄水を吸引することにより洗浄対象物の管路を洗浄し、しかる後に前記電磁弁群を開閉制御して前記コンプレッサーにより前記吸引／エアーブロー兼用管路を通じて前記吸引／エアーブロー兼用コネクターからエアーブローすることにより洗浄対象物の管路を乾燥する強い吸引力による洗浄・乾燥処理と、前記電磁弁群を開閉制御して前記コンプレッサーにより前記エアーブロー専用管路を通じて前記エアーブロー専用コネクターからエアーブローすることにより洗浄対象物の管路を乾燥するエアーブローのみによる乾燥処理とを選択的に実行する制御手段と
を有することを特徴とする管路洗浄・乾燥装置。
【請求項２】
前記弱い吸引力による洗浄・乾燥処理が、前記ダイヤフラムポンプの動作を選択するダイヤフラムポンプスイッチと、前記ダイヤフラムポンプによる吸引動作を選択する吸引スイッチと、前記コンプレッサーによるエアーブロー動作を選択するエアーブロースイッチとにより設定されることを特徴とする請求項１記載の管路洗浄・乾燥装置。
【請求項３】
前記強い吸引力による洗浄・乾燥処理が、前記ピストンポンプの動作を選択するピストンポンプスイッチと、前記ピストンポンプによる吸引動作を選択する吸引スイッチと、前記コンプレッサーによるエアーブロー動作を選択するエアーブロースイッチとにより設定されることを特徴とする請求項１記載の管路洗浄・乾燥装置。
【請求項４】
前記吸引スイッチにより吸引動作が選択された状態で前記ダイヤフラムポンプまたは前記ピストンポンプによる吸引動作をオン／オフする吸引制御用フットスイッチを備えることを特徴とする請求項２または３記載の管路洗浄・乾燥装置。
【請求項５】
前記エアーブローのみによる乾燥処理が、前記コンプレッサーによるエアーブロー動作のみを選択するエアーブロー専用スイッチにより設定されることを特徴とする請求項１記載の管路洗浄・乾燥装置。
【請求項６】
前記エアーブロースイッチまたは前記エアーブロー専用スイッチによりエアーブロー動作が選択された状態で前記コンプレッサーによるエアーブロー動作をオン／オフするエアーブロー制御用フットスイッチを備えることを特徴とする請求項２，３または５記載の管路洗浄・乾燥装置。
【手続補正２】
【補正対象書類名】明細書
【補正対象項目名】００１７
【補正方法】変更
【補正の内容】
【００１７】
請求項１記載の管路洗浄・乾燥装置は、洗浄対象物の管路を洗浄および乾燥する管路洗浄・乾燥装置において、吸引／エアーブロー兼用管路に導通された吸引／エアーブロー兼用コネクターと、エアーブロー専用管路に導通されたエアーブロー専用コネクターと、前記吸引／エアーブロー兼用コネクターから前記吸引／エアーブロー兼用管路を通じて弱い吸引力で洗浄水を吸引することにより洗浄対象物の管路を洗浄するダイヤフラムポンプと、前記吸引／エアーブロー兼用コネクターから前記吸引／エアーブロー兼用管路を通じて強い吸引力で洗浄水を吸引することにより洗浄対象物の管路を洗浄するピストンポンプと、前記吸引／エアーブロー兼用管路を通じて前記吸引／エアーブロー兼用コネクターから、または前記エアーブロー専用管路を通じて前記エアーブロー専用コネクターからエアーブローすることにより洗浄対象物の管路を乾燥するコンプレッサーと、前記吸引／エアーブロー兼用管路、前記エアーブロー専用管路、前記ダイヤフラムポンプ、前記ピストンポンプおよび前記コンプレッサーを開閉自在に連通する電磁弁群と、前記電磁弁群を開閉制御して前記ダイヤフラムポンプにより前記吸引／エアーブロー兼用コネクターから前記吸引／エアーブロー兼用管路を通じて洗浄水を吸引することにより洗浄対象物の管路を洗浄し、しかる後に前記電磁弁群を開閉制御して前記コンプレッサーにより前記吸引／エアーブロー兼用管路を通じて前記吸引／エアーブロー兼用コネクターからエアーブローすることにより洗浄対象物の管路を乾燥する弱い吸引力による洗浄・乾燥処理と、前記電磁弁群を開閉制御して前記ピストンポンプにより前記吸引／エアーブロー兼用コネクターから前記吸引／エアーブロー兼用管路を通じて洗浄水を吸引することにより洗浄対象物の管路を洗浄し、しかる後に前記電磁弁群を開閉制御して前記コンプレッサーにより前記吸引／エアーブロー兼用管路を通じて前記吸引／エアーブロー兼用コネクターからエアーブローすることにより洗浄対象物の管路を乾燥する強い吸引力による洗浄・乾燥処理と、前記電磁弁群を開閉制御して前記コンプレッサーにより前記エアーブロー専用管路を通じて前記エアーブロー専用コネクターからエアーブローすることにより洗浄対象物の管路を乾燥するエアーブローのみによる乾燥処理とを選択的に実行する制御手段とを有することを特徴とする。
【手続補正３】
【補正対象書類名】明細書
【補正対象項目名】００１８
【補正方法】変更
【補正の内容】
【００１８】
請求項２記載の管路洗浄・乾燥装置は、請求項１記載の管路洗浄・乾燥装置において、前記弱い吸引力による洗浄・乾燥処理が、前記ダイヤフラムポンプの動作を選択するダイヤフラムポンプスイッチと、前記ダイヤフラムポンプによる吸引動作を選択する吸引スイッチと、前記コンプレッサーによるエアーブロー動作を選択するエアーブロースイッチとにより設定されることを特徴とする。
【手続補正４】
【補正対象書類名】明細書
【補正対象項目名】００１９
【補正方法】変更
【補正の内容】
【００１９】
請求項３記載の管路洗浄・乾燥装置は、請求項１記載の管路洗浄・乾燥装置において、前記強い吸引力による洗浄・乾燥処理が、前記ピストンポンプの動作を選択するピストンポンプスイッチと、前記ピストンポンプによる吸引動作を選択する吸引スイッチと、前記コンプレッサーによるエアーブロー動作を選択するエアーブロースイッチとにより設定されることを特徴とする。
【手続補正５】
【補正対象書類名】明細書
【補正対象項目名】００２０
【補正方法】変更
【補正の内容】
【００２０】
請求項４記載の管路洗浄・乾燥装置は、請求項２または３記載の管路洗浄・乾燥装置において、前記吸引スイッチにより吸引動作が選択された状態で前記ダイヤフラムポンプまたは前記ピストンポンプによる吸引動作をオン／オフする吸引制御用フットスイッチを備えることを特徴とする。
【手続補正６】
【補正対象書類名】明細書
【補正対象項目名】００２１
【補正方法】変更
【補正の内容】
【００２１】
請求項５記載の管路洗浄・乾燥装置は、請求項１記載の管路洗浄・乾燥装置において、前記エアーブローのみによる乾燥処理が、前記コンプレッサーによるエアーブロー動作のみを選択するエアーブロー専用スイッチにより設定されることを特徴とする。
【手続補正７】
【補正対象書類名】明細書
【補正対象項目名】００２２
【補正方法】変更
【補正の内容】
【００２２】
請求項６記載の管路洗浄・乾燥装置は、請求項２，３または５記載の管路洗浄・乾燥装置において、前記エアーブロースイッチまたは前記エアーブロー専用スイッチによりエアーブロー動作が選択された状態で前記コンプレッサーによるエアーブロー動作をオン／オフするエアーブロー制御用フットスイッチを備えることを特徴とする。
【手続補正８】
【補正対象書類名】明細書
【補正対象項目名】００２３
【補正方法】変更
【補正の内容】
【００２３】
請求項１記載の管路洗浄・乾燥装置によれば、洗浄対象物の管路を洗浄および乾燥する管路洗浄・乾燥装置において、吸引／エアーブロー兼用管路に導通された吸引／エアーブロー兼用コネクターと、エアーブロー専用管路に導通されたエアーブロー専用コネクターと、吸引／エアーブロー兼用コネクターから吸引／エアーブロー兼用管路を通じて弱い吸引力で洗浄水を吸引することにより洗浄対象物の管路を洗浄するダイヤフラムポンプと、吸引／エアーブロー兼用コネクターから吸引／エアーブロー兼用管路を通じて強い吸引力で洗浄水を吸引することにより洗浄対象物の管路を洗浄するピストンポンプと、吸引／エアーブロー兼用管路を通じて吸引／エアーブロー兼用コネクターから、またはエアーブロー専用管路を通じてエアーブロー専用コネクターからエアーブローすることにより洗浄対象物の管路を乾燥するコンプレッサーと、吸引／エアーブロー兼用管路、エアーブロー専用管路、ダイヤフラムポンプ、ピストンポンプおよびコンプレッサーを開閉自在に連通する電磁弁群と、電磁弁群を開閉制御してダイヤフラムポンプにより吸引／エアーブロー兼用コネクターから吸引／エアーブロー兼用管路を通じて洗浄水を吸引することにより洗浄対象物の管路を洗浄し、しかる後に電磁弁群を開閉制御してコンプレッサーにより吸引／エアーブロー兼用管路を通じて吸引／エアーブロー兼用コネクターからエアーブローすることにより洗浄対象物の管路を乾燥する弱い吸引力による洗浄・乾燥処理と、電磁弁群を開閉制御してピストンポンプにより吸引／エアーブロー兼用コネクターから吸引／エアーブロー兼用管路を通じて洗浄水を吸引することにより洗浄対象物の管路を洗浄し、しかる後に電磁弁群を開閉制御してコンプレッサーにより吸引／エアーブロー兼用管路を通じて吸引／エアーブロー兼用コネクターからエアーブローすることにより洗浄対象物の管路を乾燥する強い吸引力による洗浄・乾燥処理と、電磁弁群を開閉制御してコンプレッサーによりエアーブロー専用管路を通じてエアーブロー専用コネクターからエアーブローすることにより洗浄対象物の管路を乾燥するエアーブローのみによる乾燥処理とを選択的に実行する制御手段とを有するので、洗浄対象物の特性（管路径や物理的強度等）や汚れ具合（管路の詰まりや使用状態等）に応じて管路に対して、弱い吸引力のダイヤフラムポンプまたは強い吸引力のピストンポンプのいずれかにより洗浄水の吸引による洗浄を行った後に、コンプレッサーによりエアーブローによる乾燥を行うようにしたことにより、従来の人手による注射器などを用いた管路洗浄・乾燥方法と異なり、効率よくしかも確実に洗浄対象物の管路の洗浄および乾燥を行うことができるという効果がある。なお、コンプレッサーをノンオイルタイプのコンプレッサーとすることにより、エアーブロー中にオイルが混入して洗浄対象物の管路内に残留してしまうという不具合を未然に防止することができるという効果がある。例えば、洗浄対象物が眼科手術用のＩ／ＡハンドピースやＵＳハンドピースである場合、次回手術時にＩ／ＡハンドピースやＵＳハンドピースの管路を通じて患者の眼にオイルが入ってしまうことが無くなり、術後のオイルによる炎症や治癒の遅れを防止することができるという効果がある。また、吸引／エアーブロー兼用管路に導通された吸引／エアーブロー兼用コネクターを備えるので、洗浄水の吸引による洗浄後に、エアーブローによる乾燥を行う際に、洗浄対象物の管路の接続の付け替えを行う必要がなく、洗浄水の吸引による洗浄とエアーブローによる乾燥とを連続的に行うことができるという効果がある。さらに、エアーブロー専用管路に導通されたエアーブロー専用コネクターを備えるので、洗浄水の吸引による洗浄が必要ない場合には、エアーブローによる乾燥のみを行うことができ、管路の洗浄および乾燥の作業時間を短縮することができるとともに、吸引／エアーブロー兼用管路の残留物による炎症や治癒の遅れを未然に防止できるという効果がある。
【手続補正９】
【補正対象書類名】明細書
【補正対象項目名】００２４
【補正方法】変更
【補正の内容】
【００２４】
請求項２記載の管路洗浄・乾燥装置によれば、弱い吸引力による洗浄・乾燥処理が、ダイヤフラムポンプの動作を選択するダイヤフラムポンプスイッチと、ダイヤフラムポンプによる吸引動作を選択する吸引スイッチと、コンプレッサーによるエアーブロー動作を選択するエアーブロースイッチとにより設定されるので、洗浄対象物の特性（管路径や物理的強度等）や汚れ具合（管路の詰まりや使用状態等）に応じて弱い吸引力による洗浄・乾燥処理に切り換えて洗浄対象物の管路を洗浄および乾燥することができるという効果がある。
【手続補正１０】
【補正対象書類名】明細書
【補正対象項目名】００２５
【補正方法】変更
【補正の内容】
【００２５】
請求項３記載の管路洗浄・乾燥装置によれば、強い吸引力による洗浄・乾燥処理が、ピストンポンプの動作を選択するピストンポンプスイッチと、ピストンポンプによる吸引動作を選択する吸引スイッチと、コンプレッサーによるエアーブロー動作を選択するエアーブロースイッチとにより設定されるので、洗浄対象物の特性（管路径や物理的強度等）や汚れ具合（管路の詰まりや使用状態等）に応じて強い吸引力による洗浄・乾燥処理に切り換えて洗浄対象物の管路を洗浄および乾燥することができるという効果がある。
【手続補正１１】
【補正対象書類名】明細書
【補正対象項目名】００２６
【補正方法】変更
【補正の内容】
【００２６】
請求項４記載の管路洗浄・乾燥装置によれば、吸引スイッチにより吸引動作が選択された状態でダイヤフラムポンプまたはピストンポンプによる吸引動作をオン／オフする吸引制御用フットスイッチを備えるので、操作者は、手作業を止めることなく、足による吸引制御用フットスイッチの踏み込みおよびその解除により、洗浄対象物の管路の洗浄作業を容易に遂行することができるという効果がある。
【手続補正１２】
【補正対象書類名】明細書
【補正対象項目名】００２７
【補正方法】変更
【補正の内容】
【００２７】
請求項５記載の管路洗浄・乾燥装置によれば、エアーブローのみによる乾燥処理が、コンプレッサーによるエアーブロー動作のみを選択するエアーブロー専用スイッチにより設定されるので、洗浄対象物の特性（管路径や物理的強度等）や汚れ具合（管路の詰まりや使用状態等）に応じてエアーブローのみによる乾燥処理に切り換えて洗浄対象物の管路を乾燥することができるという効果がある。
【手続補正１３】
【補正対象書類名】明細書
【補正対象項目名】００２８
【補正方法】変更
【補正の内容】
【００２８】
請求項６記載の管路洗浄・乾燥装置によれば、エアーブロースイッチまたはエアーブロー専用スイッチによりエアーブロー動作が選択された状態でコンプレッサーによるエアーブロー動作をオン／オフするエアーブロー制御用フットスイッチを備えるので、操作者は、手作業を止めることなく、足によるエアーブロー制御用フットスイッチの踏み込みおよびその解除により、洗浄対象物の管路の乾燥作業を容易に遂行することができるという効果がある。